(57)【要約】【課題】複数のアプリケーションを実行可能な情報処理端末に対する誤入力を防止する。【解決手段】情報処理端末の一態様である携帯電話が備えるディスプレイ１５０は、ＣＰＵの制御に基づいて、選択された複数のアプリケーションの各々に対応する表示領域６５０，６６０を表示する。アプリケーションＡが選択されているとき（アクティブであるとき）、ディスプレイ１５０は、アプリケーションＡの名称を示す「タイトルＡ」を領域６３０に表示し、アクティブでないアプリケーションＢの表示領域に隣接する領域６４０には、アプリケーションＢに無関係であって携帯電話の状態を示すピクト画像を領域６４０に表示する。【選択図】図７
2009177595.tif 000002
【特許請求の範囲】
【請求項１】
携帯型の情報処理端末であって、
前記情報処理端末に対する操作入力を受ける入力部と、
データを格納する記憶部と、
前記記憶部に格納されているデータに基づいて画面を表示する表示部と、
前記情報処理端末の動作を制御する制御部とを備え、
前記制御部は、
前記情報処理端末によって実現されている複数の機能の各々に対応する各画面をそれぞれ前記表示部に表示させ、
各前記画面のうち入力を待ち受けている画面に対応する機能を示すタイトル画像を、前記入力を待ち受けている画面に関連付けて前記表示部に表示させる、携帯型の情報処理端末。
【請求項２】
前記表示部は、前記入力を待ち受けている画面の表示領域の上部に、前記タイトル画像を表示する、請求項１に記載の携帯型の情報処理端末。
【請求項３】
前記制御部は、前記情報処理端末の状態を表わす画像を、各前記画面のうち入力を待ち受けていない画面に関連付けて、前記表示部に表示させる、請求項１または請求項２に記載の携帯型の情報処理端末。
【請求項４】
前記入力部は、入力を待ち受ける画面を切り換える指示を受け付け、
前記制御部は、
前記指示に基づいて、前記入力を待ち受ける画面を切り換え、
前記切り換え後に入力を待ち受ける画面に対応する機能を示すタイトル画像を、前記切り換え後に入力を待ち受ける画面に関連付けて前記表示部に表示させる、請求項１〜３のいずれか１項に記載の携帯型の情報処理端末。
【請求項５】
前記制御部は、前記表示部に、前記タイトル画像を、前記切り換え後に入力を待ち受ける画面の表示領域の上部に表示させる、請求項４に記載の携帯型の情報処理端末。
【請求項６】
前記制御部は、前記切り換え後に入力を待ち受ける画面をスクロールさせる画像を、前記表示部に表示させる、請求項１〜請求項５のいずれか１項に記載の携帯型の情報処理端末。
【請求項７】
前記複数の機能は、文字の入力機能と、データ送信と、データ受信と、音声再生のための機能とのいずれかを含む、請求項１〜６のいずれか１項に記載の携帯型の情報処理端末。
【請求項８】
前記文字の入力機能は、メールの作成と、電話帳の編集と、スケジュール機能とを含む、請求項７に記載の携帯型の情報処理端末。
【請求項９】
前記データ送信は、メールの送信と、音声データの配信の要求を送信することとを含む、請求項７に記載の携帯型の情報処理端末。
【請求項１０】
前記データ受信は、メールの受信と、音声データの受信と、テレビジョン放送信号の受信と、テレビ電話による映像又は音声の受信とを含む、請求項７に記載の携帯型の情報処理端末。
【請求項１１】
前記音声再生のための機能は、再生される音声の選択と、音声の再生と、音声の録画とのいずれかを含む、請求項７に記載の携帯型の情報処理端末。
【請求項１２】
前記制御部は、前記表示部に、各前記画面を、左右に並べて表示させる、請求項１〜１１のいずれか１項に記載の携帯型の情報処理端末。
【請求項１３】
前記制御部は、前記表示部に、各前記画面を、上下に並べて表示させる、請求項１〜１１のいずれか１項に記載の携帯型の情報処理端末。
【請求項１４】
前記表示部は、第１のディスプレイ装置と、第２のディスプレイ装置とを含み、
前記制御部は、
各前記画面のうちの１つの画面を前記第１のディスプレイ装置に表示させ、
各前記画面のうちの他の画面を前記第２のディスプレイ装置に表示させる、請求項１〜１３のいずれか１項に記載の携帯型の情報処理端末。
【請求項１５】
携帯型の情報処理端末を制御するための制御方法であって、前記情報処理端末は、プロセッサとメモリとディスプレイ装置とを備えており、
前記制御方法は、
前記プロセッサが前記情報処理端末に対する操作入力を受けるステップと、
前記プロセッサが前記メモリからデータを読み出すステップと、
前記プロセッサが、前記情報処理端末によって実現されている複数の機能の各々に対応する各画面をそれぞれ前記ディスプレイ装置に表示させるステップとを備え、
前記ディスプレイ装置に表示させるステップは、各前記画面のうち入力を待ち受けている画面に対応する機能を示すタイトル画像を、前記入力を待ち受けている画面に関連付けて前記ディスプレイ装置に表示させるステップを含む、制御方法。
【請求項１６】
携帯型の情報処理端末を制御するためのプログラムであって、前記情報処理端末は、プロセッサとメモリとディスプレイ装置とを備えており、前記プログラムは前記プロセッサに、
前記情報処理端末に対する操作入力を受けるステップと、
前記メモリからデータを読み出すステップと、
前記情報処理端末によって実現されている複数の機能の各々に対応する各画面を前記ディスプレイ装置に表示させるステップとを実行させ、
前記ディスプレイ装置に表示させるステップは、各前記画面のうち入力を待ち受けている画面に対応する機能を示すタイトル画像を、前記入力を待ち受けている画面に関連付けて前記ディスプレイ装置に表示させるステップを含む、プログラム。
【発明の詳細な説明】
【技術分野】
【０００１】
本発明は携帯型の情報処理端末の制御に関し、より特定的には、当該端末の表示の制御に関する。
【背景技術】
【０００２】
携帯電話機、ＰＤＡ（Personal  Digital  Assistant）その他の携帯型の情報処理端末の演算処理機能が向上した結果、情報処理端末は、複数のアプリケーションを実行することができる。また、情報処理端末は、そのメモリ容量の増大によって、画像、文書その他のコンテンツを大量に保持することができる。その一方で、特定のコンテンツを選択するために時間と手間を要するという問題点もある。
【０００３】
そこで、たとえば、特開２００２−４４２１８号公報（特許文献１）は、所望のコンテンツを容易に選択することができるコンテンツ選択画面を表示できる表示画面制御装置を開示している（［要約］の［課題］）。具体的には、「表示画面制御装置１０は、コンテンツの分類に用いられたカテゴリのリストを表示するカテゴリリスト表示領域とコンテンツのタイトルのリストを表示するタイトルリスト表示領域とを含むコンテンツ選択画面を、携帯電話１００の表示部１０２に表示するとともに、上記カテゴリリスト表示領域に表示されたカテゴリのリストの中から特定のカテゴリが選択された場合に、上記特定のカテゴリに分類されたコンテンツのタイトルを上記タイトルリスト表示領域に表示する表示画面制御部１４」を備える（［要約］の［課題］）。
【特許文献１】特開２００２−４４２１８号公報
【発明の開示】
【発明が解決しようとする課題】
【０００４】
特開２００２−４４２１８号公報に開示された技術によって、端末の使用者が求めるコンテンツを容易に選択することができる。
【０００５】
ところで、複数のアプリケーションを実行可能な端末においては、使用者が複数のアプリケーションを選択した後、いずれかの当該アプリケーションに対して操作ボタンその他の入力装置を介して指示を端末に与えることがある。この場合、端末は、選択された複数のアプリケーションのうちのアクティブなアプリケーションについて指示を受け付けることができる。しかしながら、複数のアプリケーションが選択されている場合には、いずれのアプリケーションがアクティブな状態になっているか不明な場合がある。そのため、使用者が入力の対象とするアプリケーションが間違って選択される恐れがあった。
【０００６】
本発明は、上述のような問題点を解決するためになされたものであって、その目的は、複数のアプリケーションを実行可能な情報処理端末に対する誤入力が防止される情報処理端末を提供することである。
【０００７】
本発明の他の目的は、複数のアプリケーションを実行可能な情報処理端末に対する誤入力を防止するために当該情報処理端末を制御する制御方法を提供することである。
【０００８】
本発明のさらに他の目的は、複数のアプリケーションを実行可能な情報処理端末に対する誤入力を防止するために当該情報処理端末を制御するプログラムを提供することである。
【課題を解決するための手段】
【０００９】
上記の課題を解決するために、この発明のある局面に従う携帯型の情報処理端末は、情報処理端末に対する操作入力を受ける入力部と、データを格納する記憶部と、記憶部に格納されているデータに基づいて画面を表示する表示部と、情報処理端末の動作を制御する制御部とを備える。制御部は、情報処理端末によって実現されている複数の機能の各々に対応する各画面をそれぞれ表示部に表示させ、各画面のうち入力を待ち受けている画面に対応する機能を示すタイトル画像を、入力を待ち受けている画面に関連付けて表示部に表示させる。
【００１０】
好ましくは、表示部は、入力を待ち受けている画面の表示領域の上部に、タイトル画像を表示する。
【００１１】
好ましくは、制御部は、情報処理端末の状態を表わす画像を、各画面のうち入力を待ち受けていない画面に関連付けて、表示部に表示させる。
【００１２】
好ましくは、入力部は、入力を待ち受ける画面を切り換える指示を受け付ける。制御部は、指示に基づいて、入力を待ち受ける画面を切り換え、切り換え後に入力を待ち受ける画面に対応する機能を示すタイトル画像を、切り換え後に入力を待ち受ける画面に関連付けて表示部に表示させる。
【００１３】
好ましくは、制御部は、表示部に、タイトル画像を、切り換え後に入力を待ち受ける画面の表示領域の上部に表示させる。
【００１４】
好ましくは、制御部は、切り換え後に入力を待ち受ける画面をスクロールさせる画像を、表示部に表示させる。
【００１５】
好ましくは、複数の機能は、文字の入力機能と、データ送信と、データ受信と、音声再生のための機能とのいずれかを含む。
【００１６】
好ましくは、文字の入力機能は、メールの作成と、電話帳の編集と、スケジュール機能とを含む。
【００１７】
好ましくは、データ送信は、メールの送信と、音声データの配信の要求を送信することとを含む。
【００１８】
好ましくは、データ受信は、メールの受信と、音声データの受信と、テレビジョン放送信号の受信と、テレビ電話による映像又は音声の受信とを含む。
【００１９】
好ましくは、音声再生のための機能は、再生される音声の選択と、音声の再生と、音声の録画とのいずれかを含む。
【００２０】
好ましくは、制御部は、表示部に、各画面を、左右に並べて表示させる。
好ましくは、制御部は、表示部に、各画面を、上下に並べて表示させる。
【００２１】
好ましくは、表示部は、第１のディスプレイ装置と、第２のディスプレイ装置とを含む。制御部は、各画面のうちの１つの画面を第１のディスプレイ装置に表示させ、各画面のうちの他の画面を第２のディスプレイ装置に表示させる。
【００２２】
この発明の他の局面に従うと、携帯型の情報処理端末を制御するための制御方法が提供される。情報処理端末は、プロセッサとメモリとディスプレイ装置とを備えている。この制御方法は、プロセッサが情報処理端末に対する操作入力を受けるステップと、プロセッサがメモリからデータを読み出すステップと、プロセッサが、情報処理端末によって実現されている複数の機能の各々に対応する各画面をそれぞれディスプレイ装置に表示させるステップとを備える。ディスプレイ装置に表示させるステップは、各画面のうち入力を待ち受けている画面に対応する機能を示すタイトル画像を、入力を待ち受けている画面に関連付けてディスプレイ装置に表示させるステップを含む。
【００２３】
この発明のさらに他の局面に従うと、携帯型の情報処理端末を制御するためのプログラムが提供される。情報処理端末は、プロセッサとメモリとディスプレイ装置とを備えている。プログラムはプロセッサに、情報処理端末に対する操作入力を受けるステップと、メモリからデータを読み出すステップと、情報処理端末によって実現されている複数の機能の各々に対応する各画面をディスプレイ装置に表示させるステップとを実行させる。ディスプレイ装置に表示させるステップは、各画面のうち入力を待ち受けている画面に対応する機能を示すタイトル画像を、入力を待ち受けている画面に関連付けてディスプレイ装置に表示させるステップを含む。
【発明の効果】
【００２４】
本発明によると、複数のアプリケーションを実行可能な情報処理端末に対する誤入力が防止され得る。
【発明を実施するための最良の形態】
【００２５】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２６】
＜第１の実施の形態＞
［外観］
図１および図２を参照して、本発明に係る携帯型の情報処理端末の一態様である携帯電話１００の構成について説明する。図１は、携帯電話１００の外観を表わす図である。携帯電話１００は、たとえば、スライド型の携帯電話である。携帯電話１００は、横長のディスプレイ１５０と、数字の入力を受け付ける操作ボタン１２０と、キーボード１２２とを備える。ディスプレイ１５０は、画像を長手方向および短手方向のいずれにも表示することができる。たとえば、携帯電話１００が閉じられた状態で使用される場合には、ディスプレイ１５０は、長手方向に画像を表示することもできる。
【００２７】
なお、本発明に係る情報処理端末は携帯電話に限られず、ＰＤＡ（Personal  Digital  Assistant）その他の携帯型の端末、パーソナルコンピュータその他の複数のアプリケーションプログラムを実行可能な情報処理装置であってもよい。
【００２８】
［ハードウェア構成］
図２は、携帯電話１００のハードウェア構成を表わすブロック図である。携帯電話１００は、図１に示される構成に加えて、アンテナ１０６，１０８と、通信装置１０２と、ＣＰＵ（Central  Processing  Unit）１１０と、操作ボタン１２０と、カメラ１４０と、フラッシュメモリ１４４と、ＲＡＭ（Random  Access  Memory）１４６と、ＲＯＭ（Read  Only  Memory）１４８と、音声信号処理回路１７０と、マイク１７２と、スピーカ１７４と、ＬＥＤ（Light  Emitting  Diode）１７６と、データ通信Ｉ／Ｆ（Interface）１７８と、メモリカード駆動装置１８０と、バイブレータ１８４と、ワンセグチューナ１９０とを備える。メモリカード駆動装置１８０には、メモリカード１８２が装着可能である。
【００２９】
アンテナ１０８によって受信された信号は、通信装置１０２によって受信処理が実行された後、処理後の信号がＣＰＵ１１０に伝送される。ＣＰＵ１１０は、その信号を音声信号処理回路１７０に転送する。音声信号処理回路１７０は、その信号をＤＡ（Digital  to  Analog）変換し、変換後の信号をスピーカ１７４に送出する。スピーカ１７４は、その信号に基づいて音声を出力する。
【００３０】
マイク１７２は、携帯電話１００に対する発話を受け付けて、その発話に応じた信号を音声信号処理回路１７０に送出する。音声信号処理回路１７０は、その信号をデジタルデータに変換し、変換によって生成されたデジタルデータをＣＰＵ１１０に送出する。ＣＰＵ１１０は、そのデジタルデータを送信用のデータに変換し、通信装置１０２に対して送出する。通信装置１０２は、そのデータを変調し、変調後の信号をアンテナ１０８を介して発信する。
【００３１】
カメラ１４０は、携帯電話１００の筐体の外部に設けられている。携帯電話１００が開閉式あるいは折畳み式である場合には、カメラ１４０は当該筐体の外部および内部のいずれに設けられてもよい。また、他の局面において、カメラ１４０は、複数のカメラであってもよい。カメラ１４０は、操作ボタン１２０あるいはキーボード１２２に対する操作に基づいて被写体を撮影し、その撮影により取得された信号をＣＰＵ１１０に送出する。
【００３２】
フラッシュメモリ１４４は、ＣＰＵ１１０から送られるデータを格納する。また、ＣＰＵ１１０は、フラッシュメモリ１４４に格納されているデータを読み出し、そのデータを用いて、予め規定された処理を実行することができる。フラッシュメモリ１４４に格納されるデータは、携帯電話１００の製造事業者によって予め作成されたデータに加えて、携帯電話１００の使用者が生成したデータ（たとえばテキストデータ、カメラ１４０によって取得された画像データ、通信装置１０２を介して受信した電子メール、未送信のメールなど）を含む。
【００３３】
ＲＡＭ１４６は、ＣＰＵ１１０によって生成されたデータを一時的に保持する。また他の局面において、ＲＡＭ１４６は、ＣＰＵ１１０が実行するためのプログラムを実行可能な形式で格納している。ある局面において、ＣＰＵ１１０は、ディスプレイ１５０に表示される画面について当該画面の表示領域を分割して表示するためのデータをＲＡＭ１４６に書き込む。
【００３４】
ＲＯＭ１４８は、携帯電話１００に予め定められた動作を実行させるためのデータあるいはプログラムを格納している。これらのデータは、携帯電話１００の基本的な動作（たとえば電源オン時の発信動作など）を規定するデータと、オペレーティングシステムとを含む。ＣＰＵ１１０は、ＲＯＭ１４８からこれらのデータあるいはプログラムを読み出して、当該ハードウェアに予め定められた動作を実行させる。
【００３５】
メモリカード駆動装置１８０は、メモリカード１８２に格納されているデータを読み出し、その読み出したデータをＣＰＵ１１０に送出する。逆に、メモリカード駆動装置１８０は、ＣＰＵ１１０から送られる命令および書き込みの対象となるデータに基づいて、当該データをメモリカード１８２に書き込む。
【００３６】
音声信号処理回路１７０は、前述のように通話に用いられる信号に対する処理として、アナログ信号をデジタルデータに変換する処理と、デジタルデータをアナログ信号に変換する処理とを実行する。なお、ある局面において、ＣＰＵ１１０と音声信号処理回路１７０とが一体として構成されてもよい。
【００３７】
ディスプレイ１５０は，ＣＰＵ１１０から出力されるデータに基づいて、そのデータによって規定される画像を表示する。たとえば、携帯電話１００が文字の入力装置として機能している場合には、ディスプレイ１５０は、文書作成のための画面を表示する。ある局面において、ディスプレイ１５０は、表示領域を複数分割（たとえば二分割、四分割など）し、分割された各表示領域ごとに携帯電話１００が有するアプリケーションプログラムに基づく画面を表示することができる。
【００３８】
ＬＥＤ１７６は、ＣＰＵ１００からの信号に基づいて、予め定められた発光動作を実行する。たとえば、ＬＥＤ１７６が複数の色を表示可能な場合には、ＬＥＤ１７６は、ＣＰＵ１１０から出力される信号に応じた色で発光する。
【００３９】
データ通信Ｉ／Ｆ１７８は、携帯電話１００の外部からデータ通信用のケーブルの接続を受け付ける。データ通信Ｉ／Ｆ１７８は、ＣＰＵ１１０から出力される信号を当該ケーブルに向けて送出する。逆に、データ通信Ｉ／Ｆ１７８は、当該ケーブルを介して外部から受信した信号をＣＰＵ１１０に送出する。
【００４０】
バイブレータ１８４は、ＣＰＵ１１０から出力される信号に基づいて、予め定められた周波数で発信動作を実行する。
【００４１】
なお、携帯電話１００の基本的な動作は、当業者にとって容易に理解できるものである。したがって、当該基本的な動作の説明は繰り返さない。
【００４２】
［機能構成］
図３は、携帯電話１００によって実現される機能の構成を表わすブロック図である。携帯電話１００は、入力部３１０と、制御部３００と、記憶部３２０と、表示部３７０とを備える。制御部３００は、複数画面表示検知部３３０と、機能選択部３４０と、切換検知部３５０と、描画部３６０とを含む。
【００４３】
入力部３１０は、携帯電話１００に対する操作入力を受け付けるように構成されている。記憶部３２０は、携帯電話１００を作動させるためのデータ（プログラムを含む）を格納するように構成されている。表示部３７０は、記憶部３２０に格納されているデータに基づいて画面を表示するように構成されている。制御部３００は、携帯電話１００の動作を制御するように構成されている。
【００４４】
より詳しくは、描画部３６０は、携帯電話１００によって実現されている複数の機能の各々にそれぞれ対応する画面を表示部３７０にそれぞれ表示させる。記憶部３２０は、各画面のうち入力を待ち受けている画面に対応する機能を示すタイトル画像を、当該入力を待ち受けている画面に関連付けて表示部３７０に表示させる。
【００４５】
他の局面において、好ましくは、表示部３７０は、入力を待ち受けている画面の表示領域の上部に、当該タイトル画像を表示する。
【００４６】
他の局面において、好ましくは、描画部３６０は、携帯電話１００の状態を表わす画像を、各画面のうち入力を待ち受けていない画面に関連付けて表示部３７０に表示させる。
【００４７】
他の局面において、好ましくは、入力部３１０は、入力を待ち受ける画面を切り換えるための指示を受け付ける。切換検知部３５０は、その指示に基づいて入力を待ち受ける画面を切り換え、描画部３６０は、その切り換え後に入力を待ち受ける画面に対応する機能を示す画像（以下タイトル画像という）を、当該切り換え後に入力を待ち受ける画面に関連付けて表示部３７０に表示させる。
【００４８】
他の局面において、好ましくは、描画部３６０は、表示部３７０に、タイトル画像を切り換え後に入力を待ち受ける画面の表示領域の上部に表示させる。
【００４９】
他の局面において、好ましくは、表示部３７０は、当該切り換え後に入力を待ち受ける画面をスクロールさせる画像を表示部３７０に表示させる。
【００５０】
他の局面において、好ましくは、複数の機能を、文字の入力機能と、データ送信と、データ受信と、音声再生のための機能等のいずれかを含む。データ送信は、メールの送信と音声データの配信の要求を送信することとを含む。データ受信は、メールの受信と、音声データの受信と、テレビジョン放送信号の受信と、テレビ電話による映像または音声受信とを含む。音声再生のための機能は、再生される音声の選択と音声の録画等のいずれかを含む。
【００５１】
他の局面において、描画部３６０は、表示部３７０に、複数の画面の各々を左右に並べて表示させてもよい。他の局面において、描画部３６０は、表示部３７０に、複数の画面の各々を上下に表示させる。
【００５２】
他の局面において、表示部３７０は、２つ以上のディスプレイ装置として実現され得る。この場合、描画部３６０は、複数の画面のうちの１つの画面を当該第１のディスプレイ装置に表示させ、複数の画面のうちの他の１つの画面を第２のディスプレイ装置に表示させてもよい。
【００５３】
複数画面表示検知部３３０は、入力部３１０から送られる信号に基づいて、表示部３７０の表示領域を分割することを検知する。その検知の結果は、描画部３６０に入力される。
【００５４】
機能選択部３４０は、入力部３１０によって受け付けられた入力に基づいて、携帯電話１００の使用者が指定した機能を選択する。機能選択部３４０は、その選択した機能を実現するために必要なデータを記憶部３２０から取り出す。
【００５５】
［データ構造］
図４を参照して、本実施の形態に係る携帯電話１００のデータ構造について説明する。図４は、ＲＯＭ１４８におけるデータの格納の一態様を概念的に表わす図である。ＲＯＭ１４８は、データおよびプログラムを格納するための複数のメモリ領域を含む。より詳しくは、ＲＯＭ１４８は、予め作成されたデータとして、ピクトアイコン画像データ４１０と、テキストエディタのタイトルデータ４１２と、メールアプリケーションのタイトルデータ４１４と、音楽アプリケーションのタイトルデータ４１６と、ワンセグアプリケーションのタイトルデータ４１８とを含む。なお、携帯電話１００が他の機能を有する場合には、当該他の機能を実現するアプリケーションのタイトルデータも同様に格納されている。たとえば、ゲーム機能などがここに含まれてもよい。
【００５６】
ＲＯＭ１４８は、さらに、予め格納されているプログラムとして、ワンセグチューナドライバ４３０と、音楽アプリケーション４３２と、メールアプリケーション４３４と、テキストエディタ４３６と、システムミドルウェア４３８と、オペレーティングシステム４４０とを格納している。
【００５７】
ピクトアイコン画像データ４１０は、ディスプレイ１５０にアイコンを表示させるためのデータである。このデータは、携帯電話１００の動作モードに応じてＣＰＵ１１０によって読み出され、その読み出されたデータに基づくアイコン画像がディスプレイ１５０に表示される。ピクトアイコンとしては、携帯電話１００の充電状態を示すアイコン、電波の受信状況を示すアイコン、メールを受信したことを表わすアイコンなどを含む。
【００５８】
テキストエディタタイトルデータ４１２は、ＣＰＵ１１０によって実現されるエディタの名前に相当する。
【００５９】
メールアプリケーションのタイトルデータ４１４は、そのメールアプリケーションの名前に相当する。音楽アプリケーションタイトルデータは、そのアプリケーションの名前と、再生されている音声の名前との少なくともいずれかによって実現される。ワンセグアプリケーションのタイトルデータ４１８は、ワンセグチューナドライバ４３０の名前、アンテナ１０６が受信しているワンセグ放送の番組名などを含む。
【００６０】
ワンセグチューナドライバ４３０は、ＣＰＵ１１０からの命令に基づいて、ワンセグチューナ１９０を駆動する。音楽アプリケーション４３２は、ＣＰＵ１１０を音楽再生プレイヤーあるいは録音装置として機能させる。音楽アプリケーション４３２がＣＰＵ１１０によって実行されると、携帯電話１００は、携帯型の音楽再生装置として機能する。
【００６１】
メールアプリケーション４３４は、ＣＰＵ１１０によって実行されると、携帯電話１００をメールの編集装置および／または送受信装置として機能させる。
【００６２】
テキストエディタ４３６は、ＣＰＵ１１０によって実行されると、携帯電話１００を文書編集装置として機能させる。
【００６３】
システムミドルウェア４３８は、オペレーティングシステム４４０と各アプリケーションプログラムとの間でオペレーティングシステム４４０から送られた命令に基づき各アプリケーションに対する指令を与える。
【００６４】
オペレーティングシステム４４０は、携帯電話１００の基本的な動作（たとえば待ち受け時の動作など）を規定する。
【００６５】
［制御構造］
図５を参照して、本実施の形態に係る携帯電話１００の制御構造について説明する。図５は、携帯電話１００が有するＣＰＵ１１０によって実行される一連の動作の一部を表わすフローチャートである。なお、本実施の形態に係る携帯電話１００は、ＣＰＵ１１０とソフトウェアとが協働することにより実現されるが、他の局面において、ＣＰＵ１１０によって実現される各処理の一部または全部が、ＦＰＧＡ（Field  Programmable  Gate  Array）その他のハードウェアによって実現されてもよい。
【００６６】
ステップＳ５１０にて、ＣＰＵ１１０は、操作ボタン１２０またはキーボード１２２からの信号に基づいて、携帯電話１００が有する複数の機能のうちの第１の機能が選択されたことを検知する。ここで、複数の機能とは、携帯電話１００が格納しているアプリケーションプログラムによって実現される各機能をいう。複数の機能には、文字の入力機能（または文書作成機能）、データ送信、データ受信、音声再生、撮影機能、ＧＰＳ（Global  Positioning  System）信号その他の航法メッセージによる測位機能などが含まれるが、これらに限られない。
【００６７】
ステップＳ５２０にて、ＣＰＵ１１０は、グラフィックメモリ（図示しない）を介して、ディスプレイ１５０の表示領域の上部（以下「タイトル領域」）の左部分にピクト画像を表示し、当該タイトル領域の右半分に第１の機能のタイトルを表示し、表示領域の残り（以下「メイン領域」という）に第１の機能の画面を表示する。
【００６８】
ステップＳ５３０にて、ＣＰＵ１１０は、操作ボタン１２０またはキーボード１２２からの信号に基づいて、第１の機能とは別の第２の機能が選択されたことを検知する。
【００６９】
ステップＳ５４０にて、ＣＰＵ１１０は、当該メイン領域の左部分の領域に、第１の機能の画面を表示し、メイン領域の右部分に、第２の機能に相当する画面を表示し、さらに、メイン領域の当該左部分をアクティブに設定する。ここで、表示領域がアクティブに設定されるとは、その領域において表示されている画像に対する命令の入力を受け付けることが可能になることをいう。この場合、ＣＰＵ１１０は、アクティブに設定された領域と、そうでない領域とを、別個の表示態様で表示してもよい。たとえば、ＣＰＵ１１０は、アクティブに設定された領域の輝度を相でない領域の輝度よりも高める。あるいは、ＣＰＵ１１０は、アクティブに設定された領域の周囲を囲むような線を、当該領域に表示させてもよい。
【００７０】
ステップＳ５５０にて、ＣＰＵ１１０は、操作ボタン１２０，キーボード１２２からの信号に基づいて、アクティブに設定された画面の切り換えの指示が入力されたことを検知する。
【００７１】
ステップＳ５６０にて、ＣＰＵ１１０は、ピクト画像をタイトル領域の右半分の領域に表示し、メイン領域の右半分をアクティブに設定し、左半分の輝度を右部分の輝度よりも小さくする。これにより、携帯電話１００の使用者は、アクティブな領域と非アクティブな領域とを容易に識別することができる。なお、他の局面において、輝度の変更に加えて、ＣＰＵ１１０は、アクティブに設定された領域の周囲を囲むような線を表示してもよい。
【００７２】
ステップＳ５７０にて、ＣＰＵ１１０は、ディスプレイ１５０においてアクティブな画面の切り換えの指示が入力されたことを検知する。
【００７３】
ステップＳ５８０にて、ＣＰＵ１１０は、ピクト画像をタイトル領域の左部分に表示し、メイン領域の左部分をアクティブに設定し、メイン領域の右部分の輝度を左部分の輝度よりも小さくする。
【００７４】
［表示態様］
図６および図７を参照して、本実施の形態に係る携帯電話１００の画面の表示態様について説明する。図６および図７はそれぞれ、ディスプレイ１５０における表示の状態を表わす図である。
【００７５】
図６（Ａ）を参照して、携帯電話１００が１つのアプリケーションＡを実行している場合、ディスプレイ１５０は、領域６１０にピクト画像を表示するとともに、領域６２０にアプリケーションＡに対応する画面を表示する。ここで、アプリケーションＡに対応する画面は、たとえばメールの作成画面、文字の入力画面、音楽の再生のための画面、音声の録画のための画面、ワンセグ放送の受信画面などを含む。
【００７６】
より詳しくは、領域６１０において、ディスプレイ１５０は、時刻を表わす画像６１２と、バッテリの充電状態を示すピクト画像６１４と、電波の受信状態を示すピクト画像６１６とを表示している。
【００７７】
図６（Ｂ）を参照して、携帯電話１００の使用者が操作ボタン１２０またはキーボード１２２を操作して２つ目のアプリケーションを選択すると、ディスプレイ１５０は、選択されたアプリケーションの初期画面（メニュー選択画面、デフォルト表示画面等）をさらに表示する。
【００７８】
より具体的には、ディスプレイ１５０は、ＣＰＵ１１０からの指令に基づいて、表示領域をアプリケーションＡのための表示領域とアプリケーションＢのための表示領域とに分割する。アプリケーションＡのための表示領域は、領域６３０と領域６５０とを含む。領域６３０には、アプリケーションＡのタイトルＡが表示されている。領域６５０には、アプリケーションＡに固有な画面が表示されている。この場合、図６（Ａ）と図６（Ｂ）との比較から明らかなように、領域６５０の表示領域は領域６２０のそれよりも小さいため、領域６５０の表示を左右にスクロールさせるための画像が表示領域の一部に示されてもよい。このような構成については後述する。
【００７９】
図６（Ｂ）を再び参照して、新たに選択された２つ目のアプリケーションＢは、領域６４０，６６０を使用する。領域６４０には、時刻を表わす画像６４２と、バッテリの充電状態を示すピクト画像６４４と、電波の受信状態を示すピクト画像６４６とが表示されている。アプリケーションＢのための画面（初期画面、起動中の画面）は、領域６６０に表示される。この場合も、アプリケーションＢのための画面は、ディスプレイ１５０の表示領域が分割されていない場合（たとえば図６（Ａ）を参照）に比べて小さいため、左右方向の視認性が低下することが考えられる。そこで、領域６６０の下部に当該領域を左右方向にスクロール表示させるための左右方向の矢印画像が表示されてもよい。
【００８０】
図７（Ａ）を参照して、携帯電話１００の使用者は、現在アクティブになっているアプリケーションＡに代えてアプリケーションＢをアクティブにすることが考えられる。この場合、当該使用者は操作ボタン１２０またはキーボード１２２を操作することにより、アクティブな画面を領域６５０から領域６６０に切り換えることができる。
【００８１】
より具体的には、図７（Ｂ）に示されるように、領域６６０がアクティブであることを明示するように、ＣＰＵ１１０は、領域６５０の輝度よりも領域６６０の領域の輝度を高める。さらに、アクティブになっている領域６６０において実現されているアプリケーションＢを明示するためにアプリケーションＢのタイトルＢが領域６８０に表示される。この場合、タイトルＢの画像６８２は、領域６６０に関連があるような態様で示されるのが好ましい。一方、非アクティブに切り換えられたアプリケーションＡの領域６５０は、アクティブである場合に比べて輝度が低下しており、携帯電話１００の使用者は、アプリケーションＡが使用者による操作を受け付けられない状態であることを容易に視認することができる。これにより、アプリケーションＢが起動されている画面がアクティブであること、および、アプリケーションＡが起動されている画面が非アクティブであることが、一目瞭然となる。
【００８２】
さらに、領域６７０には、携帯電話１００の状態を示す画像が表示される。より具体的には、時刻を示す画像６７２と、充電状態を示すピクト画像６７４と、電波の受信状態を示すピクト画像６７６とが、領域６７０に表示される。その後、使用者が操作ボタン１２０、キーボード１２２を操作してアクティブなアプリケーションを再度切り換える操作を行なうと、図７（Ｃ）に示されるように、領域６３０、６４０として、アクティブに切り換えられたアプリケーションＡに関連する情報が領域６３０に表示され、携帯電話１００の状態を示す一般的な画像が領域６４０に表示される。これにより、アプリケーションＡが起動されている画面がアクティブであること、および、アプリケーションＢが起動されている画面が非アクティブであることが、一目瞭然となる。この場合、領域６５０の輝度は領域６６０のそれよりも高められ、携帯電話１００の使用者は、アプリケーションＡが直接操作可能であることを容易に視認することができる。
【００８３】
以上のようにして、本発明の第１の実施の形態に係る携帯電話１００は、複数のアプリケーションが同時に起動されている場合においていずれのアプリケーションの画面がアクティブであるかを、一目瞭然に、すなわち識別可能に表示する。より詳しくは、ＣＰＵ１１０は、特定の機能が選択されことを検知し（ステップＳ５１０）、ディスプレイ１５０の表示領域の上部にある「タイトル領域」の左部分にピクト画像を表示し、当該タイトル領域の右半分に第１の機能のタイトルを表示し、表示領域の残り（すなわち「メイン領域」）に第１の機能の画面を表示する（ステップＳ５１０）。ＣＰＵ１１０は、第１の機能とは別の第２の機能が選択されたことを検知すると（ステップＳ５２０）、当該メイン領域の左部分の領域に、第１の機能の画面を表示し、メイン領域の右部分に、第２の機能に相当する画面を表示し、さらに、メイン領域の当該左部分をアクティブに設定する。これにより、使用者はタイトル領域の位置を参照することにより、どのアプリケーションプログラムがアクティブであるかを、容易に確認することができる。
【００８４】
その後、ＣＰＵ１１０は、操作ボタン１２０，キーボード１２２からの信号に基づいて、アクティブに設定された画面の切り換えの指示が入力されたことを検知すると（ステップＳ５５０）、ピクト画像をタイトル領域の右半分の領域に表示し、メイン領域の右半分をアクティブに設定し、左半分の輝度を右部分の輝度よりも小さくする（ステップＳ５６０）。これにより、携帯電話１００の使用者は、アクティブな領域と非アクティブな領域とを容易に識別することができる。その結果、複数のアプリケーションを実行可能な情報処理端末に対する誤入力を防止できる情報処理端末を提供することができる。
【００８５】
＜第２の実施の形態＞
図８から図１０を参照して、本発明の第２の実施の形態について説明する。本実施の形態に係る携帯電話８００は、複数の画面を上下方向に表示することができる点で、第１の実施の形態と異なる。図８および図９は、本実施の形態に係る携帯電話８００の外観を表わす図である。図８を参照して、携帯電話８００は、筐体８１０，８２０と、メインディスプレイ８３０と、操作ボタン８４０とを備える。メインディスプレイ８３０は、たとえば携帯電話８００の長手方向に沿った長軸を有する矩形として構成されている。
【００８６】
図９を参照して、携帯電話８００は、図８に示される構成に加えて、さらに、サブディスプレイ８３２と、操作ボタン８５０，８５２，８５４とを備える。サブディスプレイ８３２は、携帯電話８００の長手方向に対して長軸あるいは単軸のいずれであってもよい。
【００８７】
なお、本実施の形態に係る携帯電話８００は、ディスプレイの数を除いて、第１の実施の形態に係る携帯電話１００のハードウェア構成を用いて実現される。それらの機能も同じである。したがって、ハードウェア構成についての説明は繰り返さない。
【００８８】
［表示態様］
図１０を参照して、本実施の形態に係る携帯電話８００の画面の表示態様について説明する。図１０は、メインディスプレイ８３０における画面の表示を表わす図である。
【００８９】
図１０（Ａ）を参照して、携帯電話８００が図８に示されるような開かれた状態であるとき、メインディスプレイ８３０は、操作ボタン８４０に対する指示に基づいて領域１０１０と領域１０２０とを表示する。領域１０１０には、携帯電話８００の状態を示す画像１０１２と、バッテリの充電状態を示すピクト画像１０１４と、電波の受信状態を示すピクト画像１０１６とが表示されている。携帯電話８００の使用者が操作ボタン８４０を操作して特定のアプリケーションＡを呼び出すと、領域１０２０はそのアプリケーションＡの初期画面を表示する。その後、使用者は、操作ボタン８４０を操作してそのアプリケーションＡを実行することができる。
【００９０】
図１０（Ｂ）を参照して、その後、使用者が２つ目のアプリケーションを選択すると、メインディスプレイ８３０は、アプリケーションＡの表示に加えて、アプリケーションＢの表示を行なう。より詳しくは、メインディスプレイ８３０は、アプリケーションＡのための表示領域１０１０，１０３０に加えて、領域１０４０，１０５０をさらに表示する。この場合、アプリケーションＡの表示のための領域１０３０は、領域１０２０に比べて狭くなるため、上下方向に画面をスクロール表示させるための矢印１０３２，１０３６とスクロールバー１０３４をさらに表示する。操作ボタン８４０がタッチパッド式のスイッチ機能を有している場合、使用者はそのタッチパッドを操作することにより矢印１０３２あるいは１０３６を選択することにより画面をスクロール表示することができる。
【００９１】
アプリケーションＡが「アクティブ」に設定されている場合、領域１０３０の輝度は領域１０５０のそれよりも高く設定される。この場合、領域１０１０には、アプリケーションＡを示すタイトルＡが画像１０１８として表示される。
【００９２】
さらに、メインディスプレイ８３０は、２つ目のアプリケーションとして呼び出されたアプリケーションＢの領域１０５０を表示している。この場合、領域１０５０はアクティブに設定されていないため、領域１０３０に示されるようなスクロール表示のための画像（矢印１０３２，１０３６およびスクロールバー１０３４）は、領域１０５０に表示されていない。それに代えて、携帯電話８００の状態を示す画像１０４０と、バッテリの充電状態を示すピクト画像１０４４と、電波の受信状態を示すピクト画像１０４６とが、領域１０５０に表示されている。このように表示の場所を切り換えることにより、アプリケーションＡの操作に集中することができる。
【００９３】
図１０（Ｃ）を参照して、使用者が操作ボタン８４０を操作してアクティブなアプリケーションを切り換えると、領域１０３０は非アクティブに切り換えられる。より詳しくは、領域１０３０の輝度は、アクティブであった場合の輝度に比べて小さく設定される。さらに、領域１０３０をスクロール表示させるための矢印１０３２，１０３６およびスクロールバー１０３４が表示されなくなる。そして、領域１０１０には、携帯電話８００の一般的な状態を示す画像１０１２、ピクト画像１０１４，１０１６が再び表示される。
【００９４】
一方、アクティブに切り換えられた領域１０５０は、非アクティブであった場合の輝度に比べてその輝度が大きく設定される。さらに、領域１０４０には、アクティブにされたアプリケーションＢの名称を示す「タイトルＢ」がピクト画像１０４８として表示される。これにより、使用者は、アクティブにされたプログラムがアプリケーションＢであることを容易に確認することができる。そして、アプリケーションＢを実行するために領域１０５０をスクロール表示させるための矢印１０５２，１０５６と、スクロールバー１０５４とが表示される。
【００９５】
図１０（Ｄ）を参照して、使用者が操作ボタン８４０を操作して２つのアプリケーションのうち現在アクティブになっているアプリケーションＢのみを選択する操作を実行すると、メインディスプレイ８３０は、複数の領域を非表示にし、１つのアプリケーションの表示のための態様に切り換える。より詳しくは、領域１０１０には、携帯電話８００の状態を示す画像１０１２と、ピクト画像１０１４，１０１６とが、それぞれ表示される。領域１０２０には、アプリケーションＢのための領域として、すべての表示領域が使用される。この場合、使用者は現在実行しているアプリケーションがアプリケーションＢであることを既に知っているため（図１０（Ｃ）から図１０（Ｄ））、アプリケーションＢの名称である「タイトルＢ」はあえて表示されない。なお、他の局面において、タイトルＢはそのまま表示されてもよい。この場合、タイトルＢは、たとえば、領域１０１０と領域１０２０との間にあるいは領域１０２０の下部に表示されるのが好ましい。
【００９６】
以上のようにして、本発明の第２の実施の形態に係る携帯電話１００は、複数のアプリケーションが選択されている場合に、選択された各アプリケーションを示す表示領域のうち、アクティブな表示領域と当該アプリケーションの内容を示す領域とを関連付けて表示する。その一方、アクティブでない表示領域に隣接する領域には、携帯電話１００の一般的な状態を示すピクト画像が表示される。これにより、使用者は、いずれの表示領域がアクティブであるかを容易に識別することができる。
【００９７】
上記の説明は、メインディスプレイ８３０における表示の切り換えが例示されているが、サブディスプレイ８３２における表示の切り換えも同様に実現可能である。この場合、操作ボタン８５０，８５２，８５４のいずれかに対する入力操作に応答して、アクティブなアプリケーションのための表示と、アクティブでないアプリケーションのための表示とが切り換えられる。また、操作ボタン８５０，８５２，８５４のいずれか１つが複数のアプリケーションの切り替えに使用されてもよく、あるいは、複数のボタンが当該切り換えに使用されてもよい。たとえば、各表示領域の配列（左右、あるいは上下）に対応して、各操作ボタンが操作を受け付けてもよい。このような構成により、使用者は、切り換えの指示を的確に与えることができる。
【００９８】
以上、本発明に係る情報処理端末の一実施態様として携帯電話１００を例にして説明したが、本発明情報処理端末は携帯電話１００のみによって具体化されるものではない。たとえば、本発明は、周知の構成を有するコンピュータシステムを用いても実現することができる。
【００９９】
そこで、図１１を参照して、本発明の実施の形態に係る情報処理端末を実現するコンピュータシステム１１００について説明する。図１１は、コンピュータシステム１１００のハードウェア構成を表わすブロック図である。コンピュータシステム１１００は、主たる構成として、命令を実行するＣＰＵ１１１０と、コンピュータシステム１１００の使用者による指示の入力を受け付けるマウス１１２０およびキーボード１１３０と、ＣＰＵ１１１０によるプログラムの実行により生成されたデータ、または、マウス１１２０若しくはキーボード１１３０を介して入力されたデータを一時的に（揮発的に）格納するＲＡＭ１１４０と、データを不揮発的に格納するハードディスク１１５０と、ＣＤ（Compact  Disk）−ＲＯＭその他の光ディスクを駆動する光ディスク駆動装置１１６０と、モニタ１１８０と、通信Ｉ／Ｆ１１９０とを含む。各構成要素は、データバスに接続されている。光ディスク駆動装置１１６０には、ＣＤ−ＲＯＭその他の光ディスク１１６２が装着可能である。
【０１００】
コンピュータシステム１１００における処理は、ハードウェアおよびＣＰＵ１１１０により実行されるソフトウェアによって実現される。このようなソフトウェアは、ハードディスク１１５０に予め格納されている場合がある。また、ソフトウェアは、ＣＤ−ＲＯＭ１１６２その他のデータ記録媒体に格納されて、プログラム製品として流通している場合もある。あるいは、ソフトウェアは、いわゆるインターネットに接続されている情報提供事業者が管理運営するサーバ装置によってダウンロード可能なプログラム製品として提供される場合もある。このようなソフトウェアは、光ディスク駆動装置１１６０その他の読取装置によりそのデータ記録媒体から読み取られた後、あるいは、通信Ｉ／Ｆ１１８０を介してダウンロードされた後、ハードディスク１１５０に一旦格納される。そのソフトウェアは、ＣＰＵ１１１０によってハードディスク１１５０から読み出され、実行可能なプログラムの形式でＲＡＭ１１４０に格納される。ＣＰＵ１１１０は、そのプログラムを実行する。
【０１０１】
図１１に示されるコンピュータシステム１１００のハードウェア構成は、一般的なものである。したがって、本発明の最も本質的な部分は、ＲＡＭ１１４０、ハードディスク１１５０、ＣＤ−ＲＯＭ１１６２その他のデータ記録媒体に格納されたプログラム、あるいはネットワークを介してダウンロード可能なプログラウであるともいえる。なお、コンピュータシステム１１００の各ハードウェアの動作は周知であるので、詳細な説明は繰り返さない。
【０１０２】
なお、記録媒体としては、ＲＡＭ１１４０、ハードディスク１１５０、ＣＤ−ＲＯＭ１１６２に限られず、ＦＤ（Flexible  Disk）、磁気テープ、カセットテープ、光ディスク（ＭＯ（Magnetic  Optical  Disc）／ＭＤ（Mini  Disc）／ＤＶＤ（Digital  Versatile  Disc））、ＩＣ（Integrated  Circuit）カード（メモリカードを含む）、光カード、マスクＲＯＭ、ＥＰＲＯＭ（Erasable,  Programmable  Read-Only  Memory）、ＥＥＰＲＯＭ（Electronically  Erasable  Programmable  Read-Only  Memory）、フラッシュＲＯＭなどの半導体メモリ等の固定的にプログラムを担持する媒体でもよい。
【０１０３】
ここでいうプログラムとは、ＣＰＵにより直接実行可能なプログラムだけでなく、ソースプログラム形式のプログラム、圧縮処理されたプログラム、暗号化されたプログラム等を含む。
【０１０４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１０５】
本発明は、携帯電話その他の携帯型の情報処理端末に適用可能である。
【図面の簡単な説明】
【０１０６】
【図１】本発明の第１の実施の形態に係る携帯電話１００の外観を表わす図である。
【図２】携帯電話１００のハードウェア構成を表わすブロック図である。
【図３】携帯電話１００によって実現される機能の構成を表わすブロック図である。
【図４】携帯電話１００が備えるＲＯＭ１４８におけるデータの格納の一態様を概念的に表わす図である。
【図５】携帯電話１００が有するＣＰＵ１１０によって実行される一連の動作の一部を表わすフローチャートである。
【図６】携帯電話１００のディスプレイ１５０における表示の状態を表わす図（その１）である。
【図７】携帯電話１００のディスプレイ１５０における表示の状態を表わす図（その２）である。
【図８】本発明の第２の実施の形態に係る携帯電話８００の外観を表わす図（その１）である。
【図９】本発明の第２の実施の形態に係る携帯電話８００の外観を表わす図（その２）である。
【図１０】携帯電話８００が備えるメインディスプレイ８３０における画面の表示を表わす図である。
【図１１】コンピュータシステム１１００のハードウェア構成を表わすブロック図である。
【符号の説明】
【０１０７】
１００，８００  携帯電話、１０６，１０８  アンテナ、１８２  メモリカード、８１０，８２０  筐体、８３０  メインディスプレイ、８３２  サブディスプレイ、８４０，８５０，８５２，８５４  操作ボタン、１１００  コンピュータシステム、１１６２  ＣＤ−ＲＯＭ。
【図１】
2009177595.tif 000003
【図２】
2009177595.tif 000004
【図３】
2009177595.tif 000005
【図４】
2009177595.tif 000006
【図５】
2009177595.tif 000007
【図６】
2009177595.tif 000008
【図７】
2009177595.tif 000009
【図８】
2009177595.tif 000010
【図９】
2009177595.tif 000011
【図１０】
2009177595.tif 000012
【図１１】
2009177595.tif 000013